(57)【要約】  【課題】  表示装置と、上記表示装置に接続される複数の映像機器とからなるＡＶシステムにおいて、映像機器のリモコン操作をディスプレイに向けて行うことが可能なＡＶシステムを提供する。  【解決手段】  ディスプレイ１００側では、ディスプレイ１００に接続されている全てのＳＴＢ１１０〜１１２からメーカーコード及び機器コードを読み出して接続機器一覧テーブルを作成し、ユーザがリモコンのボタンを押下したときに、該リモコンから発せられるリモコンコードを受信し、そのリモコンコードに含まれるメーカーコード及び機器コードと一致するものを上記接続機器一覧テーブルでサーチし、該メーカーコード及び機器コードが一致するＳＴＢが接続されている受信インタフェースと表示部１０２とを接続するようセレクタ１０５を切り替え、該ＳＴＢから転送されているＡＶデータを表示部１０２で表示、再生するようにした。【選択図】図１
2004208290.tif 000002
【特許請求の範囲】
【請求項１】
表示装置と、上記表示装置に接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードに基づき、上記複数の映像機器のうちの上記リモコンに対応する映像機器を表示部に接続する、
ことを特徴とするＡＶシステム。
【請求項２】
表示装置と、上記表示装置に接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードにヘッダを付加して上記各映像機器に一斉に送信し、
上記各映像機器は、上記表示装置よりブロードキャストされた上記リモコンコードに含まれるメーカー識別情報、または機器識別情報に基づいて該リモコンコードが自分宛であるかを判断し、自分宛であると判断した場合は自機器を上記表示装置の表示部に接続するよう上記表示装置に指示する、
ことを特徴とするＡＶシステム。
【請求項３】
表示装置と、上記表示装置に接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードにヘッダを付加して上記各映像機器に一斉に送信し、
上記各映像機器は、上記表示装置より受け取った信号のヘッダに含まれる機器アドレスからリモコンコードが自分宛であるかを判断し、自分宛であると判断した場合は上記表示装置の出力信号のリモコンコードに含まれるリモコンコマンドに従って動作する、
ことを特徴とするＡＶシステム。
【請求項４】
表示装置と、上記表示装置に接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードにヘッダ及び機器制御コマンドを付加して上記各映像機器に一斉に送信し、
上記各映像機器は、上記表示装置より受け取った信号のヘッダに含まれる機器アドレスから上記リモコンコードが自分宛であるかを判断し、自分宛であると判断した場合は上記表示装置より受け取った信号のリモコンコードに含まれる機器制御コマンドに従って動作する、
ことを特徴とするＡＶシステム。
【請求項５】
請求項１ないし請求項４のいずれか１項に記載のＡＶシステムにおいて、
上記各映像機器は、切換無効コマンドを有し、
上記表示装置は、上記各映像機器から上記切換無効コマンドを取得して切換無効コマンド一覧テーブルを作成し、上記リモコンより送信されたリモコンコードに上記切換無効コマンド一覧テーブルに格納されている切換無効コマンドが含まれる場合は、該リモコンに対応する映像機器を表示部に接続しない、
ことを特徴とするＡＶシステム。
【請求項６】
請求項１ないし請求項４のいずれか１項に記載のＡＶシステムにおいて、
上記各映像機器は、切換有効コマンドを有し、
上記表示装置は、上記各映像機器から上記切換有効コマンドを取得して切換有効コマンド一覧テーブルを作成し、上記リモコンから発せられるリモコンコードに上記切換有効コマンド一覧テーブルに含まれる切換有効コマンドが含まれる場合は、該リモコンに対応する映像機器を表示部に接続する、
ことを特徴とするＡＶシステム。
【請求項７】
請求項１ないし請求項４のいずれか１項に記載のＡＶシステムにおいて、
上記各映像機器は、メーカー識別情報、または機器識別情報の少なくとも一方を有し、上記表示装置に接続された後に上記メーカー識別情報、または上記機器識別情報を上記表示装置に伝送し、
上記表示装置は、上記各映像機器から伝送された上記メーカー識別情報、または上記機器識別情報に基づいて接続機器一覧テーブルを作成し、上記リモコンから発せられたリモコンコードに含まれるメーカー識別情報、または機器識別情報の少なくとも１つを用いて上記接続機器一覧テーブルから上記リモコンに対応する映像機器を識別し、該映像機器を表示部に接続する、
ことを特徴とするＡＶシステム。
【請求項８】
請求項１ないし請求項４のいずれか１項に記載のＡＶシステムにおいて、
上記映像機器は、ベンダーＩＤ、または機器アドレスの少なくとも一方を有し、上記表示装置に接続された後に上記ベンダーＩＤ、または上記機器アドレスを上記表示装置に伝送し、
上記表示装置は、ベンダーＩＤに対応するメーカー識別情報、または機器アドレスに対応する機器識別情報の少なくとも一方を有し、上記各映像機器から伝送された上記ベンダーＩＤ、または上記機器アドレスに基づいて接続機器一覧テーブルを作成し、上記リモコンから発せられたリモコンコードに含まれるメーカ識別情報、または機器識別情報の少なくとも１つを用いて上記接続機器一覧テーブルから上記リモコンに対応する映像機器を識別し、該映像機器を表示部に接続する、
ことを特徴とするＡＶシステム。
【請求項９】
請求項１ないし請求項４のいずれか１項に記載のＡＶシステムにおいて、
上記表示装置と上記複数の映像機器とを接続するインタフェース手段は、デジタルインタフェースである、
ことを特徴とするＡＶシステム。
【請求項１０】
請求項１ないし請求項４のいずれか１項に記載のＡＶシステムにおいて、
上記表示装置と上記複数の映像機器とを接続するインタフェース手段は、ＨＤＭＩである、
ことを特徴とするＡＶシステム。
【請求項１１】
請求項１ないし請求項４のいずれか１項に記載のＡＶシステムにおいて、
上記表示装置と上記複数の映像機器とを接続するインタフェース手段は、ＤＶＩである、
ことを特徴とするＡＶシステム。
【請求項１２】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記ＡＶスイッチに送信し、
上記表示装置は、上記リモコンより送信されたリモコンコードを上記ＡＶスイッチに転送し、
上記ＡＶスイッチは、上記表示装置より転送されたリモコンコードに基づき、上記複数の映像機器のうちの上記リモコンに対応する映像機器を表示部に接続する、
ことを特徴とするＡＶシステム。
【請求項１３】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記ＡＶスイッチに送信し、
上記表示装置は、上記リモコンより送信されたリモコンコードを上記ＡＶスイッチに転送し、
上記ＡＶスイッチは、上記表示装置より転送されたリモコンコードにヘッダを付加して上記各映像機器に一斉に送信し、
上記各映像機器は、上記ＡＶスイッチより出力された信号のリモコンコードに含まれるメーカー識別情報、または機器識別情報に基づいて該リモコンコードが自分宛であるかを判断し、自分宛であると判断した場合は自機器を上記表示装置の表示部に接続するよう上記ＡＶスイッチに指示する、
ことを特徴とするＡＶシステム。
【請求項１４】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記ＡＶスイッチに送信し、
上記表示装置は、上記リモコンより送信されたリモコンコードを上記ＡＶスイッチに転送し、
上記ＡＶスイッチは、上記表示装置より転送されたリモコンコードにヘッダを付加して上記各映像機器に一斉に送信し、
上記各映像機器は、上記ＡＶスイッチより出力された信号のヘッダに含まれる機器アドレスからリモコンコードが自分宛であるかを判断し、自分宛であると判断した場合は上記リモコンコードに含まれるリモコンコマンドに従って動作する、
ことを特徴とするＡＶシステム。
【請求項１５】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードを上記ＡＶスイッチに転送し、
上記ＡＶスイッチは、上記表示装置より転送されたリモコンコードにヘッダ及び機器制御コマンドを付加して上記各映像機器に一斉に送信し、
上記各映像機器は、上記ＡＶスイッチより出力された信号のヘッダに含まれる機器アドレスから上記リモコンコードが自分宛であるかを判断し、自分宛であると判断した場合は上記ＡＶスイッチより出力された信号のリモコンコードに含まれる機器制御コマンドに従って動作する、
ことを特徴とするＡＶシステム。
【請求項１６】
請求項１２ないし請求項１５のいずれか１項に記載のＡＶシステムにおいて、
上記各映像機器は、切換無効コマンドを有し、
上記ＡＶスイッチは、上記各映像機器から上記切換無効コマンドを取得して切換無効コマンド一覧テーブルを作成し、上記リモコンから発せられるリモコンコードに上記切換無効コマンド一覧テーブルに格納されている切換無効コマンドが含まれる場合は、該リモコンに対応する映像機器を上記表示装置の表示部に接続しない、
ことを特徴とするＡＶシステム。
【請求項１７】
請求項１２ないし請求項１５のいずれか１項に記載のＡＶシステムにおいて、
上記各映像機器は、切換有効コマンドを有し、
上記ＡＶスイッチは、上記各映像機器から上記切換有効コマンドを取得して切換有効コマンド一覧テーブルを作成し、上記リモコンから発せられるリモコンコードに上記切換有効コマンド一覧テーブルに含まれる切換有効コマンドが含まれる場合は、該リモコンに対応する映像機器を上記表示装置の表示部に接続する、
ことを特徴とするＡＶシステム。
【請求項１８】
請求項１２ないし請求項１５のいずれか１項に記載のＡＶシステムにおいて、
上記各映像機器は、メーカー識別情報、または機器識別情報の少なくとも一方を有し、上記表示装置に接続された後に上記メーカー識別情報、または上記機器識別情報を上記ＡＶスイッチに伝送し、
上記ＡＶスイッチは、上記各映像機器から伝送された上記メーカー識別情報、または上記機器識別情報に基づいて接続機器一覧テーブルを作成し、上記リモコンから発せられたリモコンコードに含まれるメーカー識別情報、または機器識別情報の少なくとも１つを用いて上記接続機器一覧テーブルから上記リモコンに対応する映像機器を識別し、該映像機器を上記表示装置の表示部に接続する、
ことを特徴とするＡＶシステム。
【請求項１９】
請求項１２ないし請求項１５のいずれか１項に記載のＡＶシステムにおいて、
上記映像機器は、ベンダーＩＤ、または機器アドレスの少なくとも一方を有し、上記表示装置に接続された後に上記ベンダーＩＤ、または上記機器アドレスを上記ＡＶスイッチに伝送し、
上記ＡＶスイッチは、ベンダーＩＤに対応するメーカー識別情報、または機器アドレスに対応する機器識別情報の少なくとも一方を有し、上記各映像機器から伝送された上記ベンダーＩＤ、または上記機器アドレスに基づいて接続機器一覧テーブルを作成し、上記リモコンから発せられたリモコンコードに含まれるメーカ識別情報、または機器識別情報の少なくとも１つを用いて上記接続機器一覧テーブルから上記リモコンに対応する映像機器を識別し、該映像機器を上記表示装置の表示部に接続する、
ことを特徴とするＡＶシステム。
【請求項２０】
請求項１２ないし請求項１５のいずれか１項に記載のＡＶシステムにおいて、
上記ＡＶスイッチと上記複数の映像機器とを接続するインタフェース手段は、デジタルインタフェースである、
ことを特徴とするＡＶシステム。
【請求項２１】
請求項１２ないし請求項１５のいずれか１項に記載のＡＶシステムにおいて、
上記ＡＶスイッチと上記複数の映像機器とを接続するインタフェース手段は、ＨＤＭＩである、
ことを特徴とするＡＶシステム。
【請求項２２】
請求項１２ないし請求項１５のいずれか１項に記載のＡＶシステムにおいて、
上記ＡＶスイッチと上記複数の映像機器とを接続するインタフェース手段は、ＤＶＩである、
ことを特徴とするＡＶシステム。
【請求項２３】
請求項１２ないし請求項１５のいずれか１項に記載のＡＶシステムにおいて、
上記表示装置と上記ＡＶスイッチとを接続するインタフェース手段は、デジタルインタフェースである、
ことを特徴とするＡＶシステム。
【請求項２４】
請求項１２ないし請求項１５のいずれか１項に記載のＡＶシステムにおいて、
上記表示装置と上記ＡＶスイッチとを接続するインタフェース手段は、ＨＤＭＩである、
ことを特徴とするＡＶシステム。
【請求項２５】
請求項１２ないし請求項１５のいずれか１項に記載のＡＶシステムにおいて、
上記表示装置と上記ＡＶスイッチとを接続するインタフェース手段は、ＤＶＩである、
ことを特徴とするＡＶシステム。
【発明の詳細な説明】
【技術分野】
【０００１】
この発明は、ディスプレイにＳＴＢ(Set Top Box)やＤＶＤ(Digital Versatile Disk)プレーヤー、ＤＶＤレコーダー、ＶＴＲ等の所謂ＡＶ機器を複数接続した場合に、該各接続機器に対応するリモコンを用いてリモコン操作を行うＡＶシステムに関するものである。
【背景技術】
【０００２】
図３７に従来のＡＶスイッチャ−の構成を示す（特許文献１参照）。
図３７において、１はＡＶスイッチャ−、２はキー操作部、３はリモコン信号を受光する受光部、４は波形整形回路、５はリモコン信号を記憶するＥＥＰＲＯＭ、６はＣＰＵ、７〜１０はＣＰＵ６から出力されるリモコン信号を所定レベルの赤外線リモコン信号に変換するＮ個の発光部、１１〜１４は上記発光部に対応して設けた光ファイバーケーブル用の出力端子である。１５〜１８は各機器の受光部への赤外線を送出する光ファイバーケーブル、１９〜２１は信号（映像／音声）の入力端子、２２はＣＰＵからの切換信号２３により切り換えて指定の信号を出力する切換回路、２４は切換回路２２で選択された信号の出力端子、２５は出力信号、２６はこのシステムを構成するＡＶ機器のうちいずれかの機器に対応するリモコンである。
【０００３】
この従来例では、例えばＶＴＲが端子１９に接続されたとき、ＶＴＲからの信号を出力端子２４に接続するのにマニュアル操作で切換回路２２をＡ位置にしていた。また、リモコンをこのＡＶスイッチャ−１に向けて操作する必要があった。
【特許文献１】特開平５−８３６４６号公報
【発明の開示】
【発明が解決しようとする課題】
【０００４】
従来例では、複数のＡＶ機器がＡＶスイッチャ−経由でディスプレイに接続されている環境で、各ＡＶ機器に付属したリモコンをＡＶスイッチャーに向けて操作し、該当するＡＶ機器をマニュアルで選択しなければならないという煩わしさがあった。一方、ユーザは、ディスプレイに接続されているＡＶ機器のリモコンをディスプレイに向けて操作する傾向にあり、ＡＶ機器とディスプレイが離れたところに置かれた場合、ディスプレイに向けてリモコン操作してもリモコンが効かないという課題がある。
【０００５】
本発明は上記の問題点を解消するためになされたもので、表示装置と、上記表示装置に接続される複数の映像機器とからなるＡＶシステムにおいて、映像機器のリモコン操作をディスプレイに向けて行うことが可能なＡＶシステムを提供することを目的とする。
【課題を解決するための手段】
【０００６】
上記の課題を解決するために、本発明の請求項１にかかるＡＶシステムは、表示装置と、上記表示装置に接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードに基づき、上記複数の映像機器のうちの上記リモコンに対応する映像機器を表示部に接続する、ことを特徴とするものである。
これにより、各映像機器に付属したリモコンをディスプレイに向けて操作することができ、かつ該リモコンに対応した映像機器を自動的に選択することができる。
【０００７】
また、本発明の請求項２にかかるＡＶシステムは、表示装置と、上記表示装置に接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードにヘッダを付加して上記各映像機器に一斉に送信し、上記各映像機器は、上記表示装置より一斉に送信された上記リモコンコードに含まれるメーカー識別情報、または機器識別情報に基づいて該リモコンコードが自分宛であるかを判断し、自分宛であると判断した場合は自機器を上記表示装置の表示部に接続するよう上記表示装置に指示する、ことを特徴とする。
これにより、各映像機器に付属したリモコンをディスプレイに向けて操作することができ、かつ該リモコンに対応した映像機器を自動的に選択することができる。
【０００８】
また、本発明の請求項３にかかるＡＶシステムは、表示装置と、上記表示装置に接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードにヘッダを付加して上記各映像機器に一斉に送信し、上記各映像機器は、上記表示装置より受け取った信号のヘッダに含まれる機器アドレスからリモコンコードが自分宛であるかを判断し、自分宛であると判断した場合は上記表示装置の出力信号のリモコンコードに含まれるリモコンコマンドに従って動作する、ことを特徴とするものである。
これにより、各映像機器に付属したリモコンをディスプレイに向けて操作することができ、かつ該リモコンに対応した映像機器を簡単に制御することができる。
【０００９】
また、本発明の請求項４にかかるＡＶシステムは、表示装置と、上記表示装置に接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードにヘッダ及び機器制御コマンドを付加して上記各映像機器に一斉に送信し、上記各映像機器は、上記表示装置より受け取った信号のヘッダに含まれる機器アドレスから上記リモコンコードが自分宛であるかを判断し、自分宛であると判断した場合は上記表示装置より受け取った信号のリモコンコードに含まれる機器制御コマンドに従って動作する、ことを特徴とするものである。
これにより、各映像機器に付属したリモコンをディスプレイに向けて操作することができ、かつ該リモコンに対応した映像機器を簡単に制御することができる。
【００１０】
また、本発明の請求項５にかかるＡＶシステムは、請求項１ないし請求項４のいずれか１項に記載のＡＶシステムにおいて、上記各映像機器は、切換無効コマンドを有し、上記表示装置は、上記各映像機器から上記切換無効コマンドを取得して切換無効コマンド一覧テーブルを作成し、上記リモコンより送信されたリモコンコードに上記切換無効コマンド一覧テーブルに格納されている切換無効コマンドが含まれる場合は、該リモコンに対応する映像機器を表示部に接続しない、ことを特徴とするものである。
これにより、録画、早送り、巻き戻しなどの動作を実行する場合に映像表示を行わないように設定することができ、無用な映像表示を防ぐことができる。
【００１１】
また、本発明の請求項６にかかるＡＶシステムは、請求項１ないし請求項４のいずれか１項に記載のＡＶシステムにおいて、上記各映像機器は、切換有効コマンドを有し、上記表示装置は、上記各映像機器から上記切換有効コマンドを取得して切換有効コマンド一覧テーブルを作成し、上記リモコンから発せられるリモコンコードに上記切換有効コマンド一覧テーブルに含まれる切換有効コマンドが含まれる場合は、該リモコンに対応する映像機器を表示部に接続する、ことを特徴とするものである。
これにより、再生、早送り再生、巻き戻し再生などの動作を実行する場合に映像表示を行うように設定することができ、無用な映像表示を防ぐことができる。
【００１２】
また、本発明の請求項７にかかるＡＶシステムは、請求項１ないし請求項４のいずれか１項に記載のＡＶシステムにおいて、上記各映像機器は、メーカー識別情報、または機器識別情報の少なくとも一方を有し、上記表示装置に接続された後に上記メーカー識別情報、または上記機器識別情報を上記表示装置に伝送し、上記表示装置は、上記各映像機器から伝送された上記メーカー識別情報、または上記機器識別情報に基づいて接続機器一覧テーブルを作成し、上記リモコンから発せられたリモコンコードに含まれるメーカー識別情報、または機器識別情報の少なくとも１つを用いて上記接続機器一覧テーブルから上記リモコンに対応する映像機器を識別し、該映像機器を表示部に接続する、ことを特徴とするものである。
これにより、ディスプレイに接続されている映像機器の認識を自動的に行うことができる。
【００１３】
また、本発明の請求項８にかかるＡＶシステムは、請求項１ないし請求項４のいずれか１項に記載のＡＶシステムにおいて、上記映像機器は、ベンダーＩＤ、または機器アドレスの少なくとも一方を有し、上記表示装置に接続された後に上記ベンダーＩＤ、または上記機器アドレスを上記表示装置に伝送し、上記表示装置は、ベンダーＩＤに対応するメーカー識別情報、または機器アドレスに対応する機器識別情報の少なくとも一方を有し、上記各映像機器から伝送された上記ベンダーＩＤ、または上記機器アドレスに基づいて接続機器一覧テーブルを作成し、上記リモコンから発せられたリモコンコードに含まれるメーカ識別情報、または機器識別情報の少なくとも１つを用いて上記接続機器一覧テーブルから上記リモコンに対応する映像機器を識別し、該映像機器を表示部に接続する、ことを特徴とするものである。
これにより、ディスプレイに接続されている映像機器の認識を自動的に行うことができる。
【００１４】
また、本発明の請求項９にかかるＡＶシステムは、請求項１ないし請求項４のいずれか１項に記載のＡＶシステムにおいて、上記表示装置と上記複数の映像機器とを接続するインタフェース手段は、デジタルインタフェースである、ことを特徴とするものである。
【００１５】
また、本発明の請求項１０にかかるＡＶシステムは、請求項１ないし請求項４のいずれか１項に記載のＡＶシステムにおいて、上記表示装置と上記複数の映像機器とを接続するインタフェース手段は、ＨＤＭＩである、ことを特徴とするものである。
【００１６】
また、本発明の請求項１１にかかるＡＶシステムは、請求項１ないし請求項４のいずれか１項に記載のＡＶシステムにおいて、上記表示装置と上記複数の映像機器とを接続するインタフェース手段は、ＤＶＩである、ことを特徴とするものである。
【００１７】
また、本発明の請求項１２にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記ＡＶスイッチに送信し、上記表示装置は、上記リモコンより送信されたリモコンコードを上記ＡＶスイッチに転送し、上記ＡＶスイッチは、上記表示装置より転送されたリモコンコードに基づき、上記複数の映像機器のうちの上記リモコンに対応する映像機器を表示部に接続する、ことを特徴とするものである。
これにより、各映像機器に付属したリモコンをディスプレイに向けて操作することができ、かつ該リモコンに対応した映像機器を自動的に選択することができる。
【００１８】
また、本発明の請求項１３にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記ＡＶスイッチに送信し、上記表示装置は、上記リモコンより送信されたリモコンコードを上記ＡＶスイッチに転送し、上記ＡＶスイッチは、上記表示装置より転送されたリモコンコードにヘッダを付加して上記各映像機器に一斉に送信し、上記各映像機器は、上記ＡＶスイッチより出力された信号のリモコンコードに含まれるメーカー識別情報、または機器識別情報に基づいて該リモコンコードが自分宛であるかを判断し、自分宛であると判断した場合は自機器を上記表示装置の表示部に接続するよう上記ＡＶスイッチに指示する、ことを特徴とするものである。
これにより、各映像機器に付属したリモコンをディスプレイに向けて操作することができ、かつ該リモコンに対応した映像機器を自動的に選択することができる。
【００１９】
また、本発明の請求項１４にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記ＡＶスイッチに送信し、上記表示装置は、上記リモコンより送信されたリモコンコードを上記ＡＶスイッチに転送し、上記ＡＶスイッチは、上記表示装置より転送されたリモコンコードにヘッダを付加して上記各映像機器に一斉に送信し、上記各映像機器は、上記ＡＶスイッチより出力された信号のヘッダに含まれる機器アドレスからリモコンコードが自分宛であるかを判断し、自分宛であると判断した場合は上記リモコンコードに含まれるリモコンコマンドに従って動作する、ことを特徴とするものである。
これにより、各映像機器に付属したリモコンをディスプレイに向けて操作することができ、かつ該リモコンに対応した映像機器を簡単に制御することができる。
【００２０】
また、本発明の請求項１５にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードを上記ＡＶスイッチに転送し、上記ＡＶスイッチは、上記表示装置より転送されたリモコンコードにヘッダ及び機器制御コマンドを付加して上記各映像機器に一斉に送信し、上記各映像機器は、上記ＡＶスイッチより出力された信号のヘッダに含まれる機器アドレスから上記リモコンコードが自分宛であるかを判断し、自分宛であると判断した場合は上記ＡＶスイッチより出力された信号のリモコンコードに含まれる機器制御コマンドに従って動作する、ことを特徴とするものである。
これにより、各映像機器に付属したリモコンをディスプレイに向けて操作することができ、かつ該リモコンに対応した映像機器を簡単に制御することができる。
【００２１】
また、本発明の請求項１６にかかるＡＶシステムは、請求項１２ないし請求項１５のいずれか１項に記載のＡＶシステムにおいて、上記各映像機器は、切換無効コマンドを有し、上記ＡＶスイッチは、上記各映像機器から上記切換無効コマンドを取得して切換無効コマンド一覧テーブルを作成し、上記リモコンから発せられるリモコンコードに上記切換無効コマンド一覧テーブルに格納されている切換無効コマンドが含まれる場合は、該リモコンに対応する映像機器を上記表示装置の表示部に接続しない、ことを特徴とするものである。
これにより、録画、早送り、巻き戻しなどの動作を実行する場合に映像表示を行わないように設定することができ、無用な映像表示を防ぐことができる。
【００２２】
また、本発明の請求項１７にかかるＡＶシステムは、請求項１２ないし請求項１５のいずれか１項に記載のＡＶシステムにおいて、上記各映像機器は、切換有効コマンドを有し、上記ＡＶスイッチは、上記各映像機器から上記切換有効コマンドを取得して切換有効コマンド一覧テーブルを作成し、上記リモコンから発せられるリモコンコードに上記切換有効コマンド一覧テーブルに含まれる切換有効コマンドが含まれる場合は、該リモコンに対応する映像機器を上記表示装置の表示部に接続する、ことを特徴とするものである。
これにより、再生、早送り再生、巻き戻し再生などの動作を実行する場合に映像表示を行うように設定することができ、無用な映像表示を防ぐことができる。
【００２３】
また、本発明の請求項１８にかかるＡＶシステムは、請求項１２ないし請求項１５のいずれか１項に記載のＡＶシステムにおいて、上記各映像機器は、メーカー識別情報、または機器識別情報の少なくとも一方を有し、上記表示装置に接続された後に上記メーカー識別情報、または上記機器識別情報を上記ＡＶスイッチに伝送し、上記ＡＶスイッチは、上記各映像機器から伝送された上記メーカー識別情報、または上記機器識別情報に基づいて接続機器一覧テーブルを作成し、上記リモコンから発せられたリモコンコードに含まれるメーカー識別情報、または機器識別情報の少なくとも１つを用いて上記接続機器一覧テーブルから上記リモコンに対応する映像機器を識別し、該映像機器を上記表示装置の表示部に接続する、ことを特徴とするものである。
これにより、ディスプレイに接続されている映像機器の認識を自動的に行うことができる。
【００２４】
また、本発明の請求項１９にかかるＡＶシステムは、請求項１２ないし請求項１５のいずれか１項に記載のＡＶシステムにおいて、上記映像機器は、ベンダーＩＤ、または機器アドレスの少なくとも一方を有し、上記表示装置に接続された後に上記ベンダーＩＤ、または上記機器アドレスを上記ＡＶスイッチに伝送し、上記ＡＶスイッチは、ベンダーＩＤに対応するメーカー識別情報、または機器アドレスに対応する機器識別情報の少なくとも一方を有し、上記各映像機器から伝送された上記ベンダーＩＤ、または上記機器アドレスに基づいて接続機器一覧テーブルを作成し、上記リモコンから発せられたリモコンコードに含まれるメーカ識別情報、または機器識別情報の少なくとも１つを用いて上記接続機器一覧テーブルから上記リモコンに対応する映像機器を識別し、該映像機器を上記表示装置の表示部に接続する、ことを特徴とするものである。
これにより、ディスプレイに接続されている映像機器の認識を自動的に行うことができる。
【００２５】
また、本発明の請求項２０にかかるＡＶシステムは、請求項１２ないし請求項１５のいずれか１項に記載のＡＶシステムにおいて、上記ＡＶスイッチと上記複数の映像機器とを接続するインタフェース手段は、デジタルインタフェースである、ことを特徴とするものである。
【００２６】
また、本発明の請求項２１にかかるＡＶシステムは、請求項１２ないし請求項１５のいずれか１項に記載のＡＶシステムにおいて、上記ＡＶスイッチと上記複数の映像機器とを接続するインタフェース手段は、ＨＤＭＩである、ことを特徴とするものである。
【００２７】
また、本発明の請求項２２にかかるＡＶシステムは、請求項１２ないし請求項１５のいずれか１項に記載のＡＶシステムにおいて、上記ＡＶスイッチと上記複数の映像機器とを接続するインタフェース手段は、ＤＶＩである、ことを特徴とするものである。
【００２８】
また、本発明の請求項２３にかかるＡＶシステムは、請求項１２ないし請求項１５のいずれか１項に記載のＡＶシステムにおいて、上記表示装置と上記ＡＶスイッチとを接続するインタフェース手段は、デジタルインタフェースである、ことを特徴とするものである。
【００２９】
また、本発明の請求項２４にかかるＡＶシステムは、請求項１２ないし請求項１５のいずれか１項に記載のＡＶシステムにおいて、上記表示装置と上記ＡＶスイッチとを接続するインタフェース手段は、ＨＤＭＩである、ことを特徴とするものである。
【００３０】
また、本発明の請求項２５にかかるＡＶシステムは、請求項１２ないし請求項１５のいずれか１項に記載のＡＶシステムにおいて、上記表示装置と上記ＡＶスイッチとを接続するインタフェース手段は、ＤＶＩである、ことを特徴とするものである。
【発明の効果】
【００３１】
本発明によるＡＶシステムによれば、ＳＴＢやＤＶＤ等メーカーの異なるＳＴＢやＤＶＤといった複数のＡＶ機器がディスプレイやＡＶスイッチに接続される環境で、各ＡＶ機器に付属したリモコンをディスプレイに向けて操作することで、そのリモコンに対応した機器が自動選択され、ディスプレイの画面に自動的に上記リモコンに対応する映像機器のデータが表示されるという新たな機能を実現でき、ユーザがマニュアルで、ディスプレイやＡＶスイッチを操作し、画面表示させる機器を選択する手間が不要となる効果がある。
【発明を実施するための最良の形態】
【００３２】
以下、本発明の実施の形態について図面を参照しながら説明する。なお、ここで示す実施の形態はあくまでも一例であって、必ずしもこの実施の形態に限定されるものではない。
【００３３】
（実施の形態１）
以下に、本発明の実施の形態１にかかるＡＶシステムについて説明する。
図１は、本実施の形態１によるＡＶシステムの構成を示す図である。
【００３４】
図１において、１００はディスプレイで、入力された映像を表示したり、音声を出力したりするものである。１０１はリモコンで後述する各接続機器に付属するものである。１０２は表示部で、映像を表示、音声を出力するもので、例えばＣＲＴや液晶パネル、プラズマディスプレイ等とスピーカーである。１０３はリモコン受信部で、リモコン１０１からの信号を受けるものである。１０４はディスプレイのコントロール部で、ディスプレイ全体の制御をするもので、例えばＣＰＵである。１０５はセレクタ部で、ディスプレイに接続される複数の機器からの映像データ及び音声データを選択するものである。１０６はメモリ部であり、後述する接続機器の一覧テーブルを格納するものである。１０７〜１０９は第１〜第３の受信インタフェースである。なお、以下実施の形態ではデジタルインタフェースとし、さらにその中でも、ＨＤＭＩ（High Definition Multimedia Interface）を例にとって説明する。１１０〜１１２は第１〜第３のＳＴＢ（Set Top Box）で、放送を受信して、映像及び音声を再生するものである。なお、ここでは、接続機器としてＳＴＢを例に挙げて説明するが、ＤＶＤ、ＶＴＲ、ゲーム機、そのほか映像を出力するものであれば、何であってもかまわない。また、ＳＴＢは、ＢＳ／ＣＳ放送用ＳＴＢであっても地上波用ＳＴＢであっても、ケーブル用ＳＴＢであってもかまわない。１１３〜１１５はＨＤＭＩケーブルで、映像データ、音声データ、制御信号を伝送するものである。なお、ディスプレイとＳＴＢとをＨＤＭＩケーブルで接続する場合について説明するが、ＤＶＩ（Digital Visual Interface）であってもかまわない。
【００３５】
図２は、第１のＳＴＢ１１０の構成を示すブロック図である。ここではデジタル放送を受信するＳＴＢとして説明する。
【００３６】
図２において、１００１は送信インタフェースで、ディスプレイ１００の受信インターフェースと接続され、映像、音声をディスプレイ１００に向けて出力するものである。デジタルインタフェースの場合、例えばＨＤＭＩの送信インタフェースである。１００２はコントロール部で、第１のＳＴＢ１１０内の各ブロックを制御するものである。１００３はメモリ部で、第１のＳＴＢ１１０のメーカーコード及び機器コードを格納するものである。１００４はアンテナで、デジタル放送の電波を受信するものである。１００５はチューナ部で、放送波の復調を行うものである。１００６はフロントエンド部で、復調された信号に対して誤り訂正等を行い、ＴＳ（トランスポートストリーム）を再生するものである。１００７はＴＳデコーダ部で、複数の番組が多重されたＴＳからユーザが選択した番組のパケット（映像、音声、データ等）を抽出するものである。１００８はＡＶデコーダ部で、ＴＳデコーダで抽出した映像パケット及び音声パケットの伸張を行い、デジタルの映像信号及び音声信号を出力するものである。
【００３７】
なお、第２のＳＴＢ１１１、第３のＳＴＢ１１２は、上記第１のＳＴＢ１１０と同一の構成であるため、構成図を省略する。
【００３８】
次に、ＨＤＭＩの構成について説明する。ＨＤＭＩの構成を図３に示す。ＨＤＭＩは送信部（トランスミッター）と受信部（レシーバー）とよりなり、送信部はＳＴＢやＤＶＤ、ＶＴＲといった映像、音声のソースとなる機器が備えるもので、受信部はディスプレイなど映像や音声を表示、出力する機器が備えるものである。送信部と受信部の間はＨＤＭＩケーブルで接続される。
【００３９】
１３０１は送信部で、映像信号（Ｙ、Ｐｂ、Ｐｒ）とオーディオ信号（ＩＥＣ９５８）をＴＭＤＳエンコードして高速伝送に適した形式で、受信部１３０４に向けて出力するものである。１３０２はＴＭＤＳエンコーダで、映像データについては、パラレル８ビット×３チャネルの映像データをシリアル１０ビット×３チャネルに変換し、音声データについては、パラレル４ビットの音声データをシリアル１０ビットに変換するものである。１３０３は送信コントロール部で、送信部１３０１を制御するものである。１３０４は受信部で、送信部１３０１から送られてきた映像データ、音声データをＴＭＤＳデコードし、ベースバンドの映像データ、音声データを再生するものである。１３０５はＴＭＤＳデコーダで、シリアル１０ビットの映像データをパラレル８ビットに変換し、シリアル１０ビットの音声データをパラレル４ビットに変換するものである。１３０６は受信コントロール部で、受信部１３０４を制御するものである。１３０７は機器制御ラインで、民生機器用の制御信号を伝送するものである。機器制御ラインとは、例えば、ＣＥＣ（Consumer Electronics Control）ラインである。１３０８はＤＤＣ（Display Dada Channel）ラインでディスプレイの制御信号を伝送するものである。
【００４０】
なお、図１及び図２で説明したディスプレイ１００、及び該ディスプレイ１００に接続されるＳＴＢと、図３に示すＨＤＭＩの構成との関係は、ＳＴＢの送信インタフェース１００１が図３に示す送信部１３０１に相当し、図１に示す第１〜第３の受信インタフェース１０７〜１０９が図３に示す受信部１３０４に相当する。
【００４１】
図４に、リモコンから発せられるリモコンコードのフォーマットを示す。図４に示すように、リモコンコードは４８ビット長で、その中に１６ビットのメーカーコード及び、１２ビットの機器コードが含まれる。なお、リモコンコードのフォーマットは図４以外のものでも構わない。また、リモコンコードは４８ビット長で記載しているが、４８ビット長以外であっても良い。また、メーカーコード、機器コードはそれぞれ、１６ビット、１２ビットとして説明するが、ビット長さはこれに限らない。
【００４２】
以上のように構成された実施の形態１によるＡＶシステムの動作について説明する。
まず、本実施の形態１の処理フローの前半（接続機器の認識方法）を図５を用いて説明する。処理の前半とは、ディスプレイ１００とＳＴＢとを接続してから、メーカーコード及び機器コードをディスプレイのメモリ部に格納するまでの処理を示す。
【００４３】
ＳＴＥＰ１では、ディスプレイ１００と第１のＳＴＢ１１０とを接続する。具体的には、ディスプレイ１００の受信インタフェース１０７と、第１のＳＴＢ１１０の送信インタフェース１００１とをＨＤＭＩケーブル１１３を介して接続する。
【００４４】
ＳＴＥＰ２では、ディスプレイ１００のコントロール部１０４は、第１のＳＴＢ１１０のメーカーコード及び機器コードを第１のＳＴＢ１１０からＨＤＭＩケーブル１１３の機器制御ライン経由で読み込む。
【００４５】
ＳＴＥＰ３では、ＳＴＥＰ２で読み込んだメーカーコード及び機器コードをディスプレイ１００のメモリ部１０６に受信インタフェース番号と共に書き込む。
【００４６】
同様に、第２のＳＴＢ１１１、第３のＳＴＢ１１２についてもＨＤＭＩケーブルを用いて接続し、各ＳＴＢ１１１，１１２のメーカーコード及び機器コードをディスプレイ１００のメモリ部１０６に受信インタフェース番号と共に書込む。
【００４７】
上記処理により、第１のＳＴＢ１１０〜第３のＳＴＢ１１２のメーカーコード及び機器コードがディスプレイ１００のメモリ部１０６に格納され、接続機器一覧テーブルを作成する。接続機器一覧テーブルに格納されるメーカーコード及び機器コードのフォーマットを図６に示し、接続機器一覧テーブルを図７に示す。なお、第１〜第３の受信インタフェース１０７〜１０９は、それぞれ受信インタフェース番号１、２、３に対応するものとする。
【００４８】
次に、本実施の形態１の処理フローの後半（接続機器の切換方法）について図８を用いて説明する。処理の後半とは、ユーザがリモコンボタンを押下してから、接続機器（ここではＳＴＢ）が選択されて、映像表示、音声出力されるまでの処理を示す。
【００４９】
ＳＴＥＰ４では、ユーザが使用したいリモコン１０１のボタンをユーザが押下する。ここで押下すべきボタンは任意のボタンであってもよいし、特定のボタンであってもよい。
ＳＴＥＰ５では、リモコン１０１から発せられたリモコンコードをディスプレイ１００のリモコン受信部１０３が受信する。
【００５０】
ＳＴＥＰ６では、リモコン受信部１０３からディスプレイ１００のコントロール部１０４にリモコンコードを転送する。
ＳＴＥＰ７では、コントロール部１０４がリモコンコードからメーカーコードと機器コードを抽出する。
【００５１】
ＳＴＥＰ８では、ＳＴＥＰ７で抽出したメーカーコード、機器コードに一致するものをメモリ部１０６の接続機器一覧テーブルでサーチする。
ＳＴＥＰ９では、接続機器一覧テーブルで、例えば受信インタフェース番号＝１で一致したとする。
【００５２】
ＳＴＥＰ１０では、コントロール部１０４はセレクタ部１０５を制御して、第１の受信インタフェース１０７から来た信号を表示部１０２に接続する。
ＳＴＥＰ１１では、第１のＳＴＢ１１０からＡＶデータの伝送を開始する。
【００５３】
ＳＴＥＰ１２では、セレクタ部１０５経由で表示部１０２にＡＶデータを伝送する。
ＳＴＥＰ１３では、表示部１０２でＡＶデータをアナログ変換して、映像表示、音声出力を行う。
【００５４】
上記処理により、ＳＴＢ等の各接続機器に付属するリモコンのボタンをディスプレイ１００に向けて押下することで、そのリモコンに対応した機器の映像、音声が自動的に表示、出力される。
【００５５】
このような本実施の形態１では、ディスプレイ１００に第１〜第３のＳＴＢ１１０〜１１２を接続した場合、ディスプレイ１００が各ＳＴＢ１１０〜１１２からメーカーコード及び機器コードを読み出して接続機器一覧テーブルを作成し、ユーザがリモコンのボタンを押下したときに、ディスプレイ１００が該リモコンから発せられるリモコンコードを受信し、そのリモコンコードに含まれるメーカーコード及び機器コードと一致するものを上記接続機器一覧テーブルでサーチし、該メーカーコード及び機器コードが一致するＳＴＢが接続されている受信インタフェースと表示部１０２とを接続するようセレクタ１０５を切り替え、該ＳＴＢからＡＶデータをディスプレイ１００に転送し、表示部１０２でＡＶデータを表示、再生するようにしたので、リモコンのボタンをディスプレイに向けて押下するだけで、そのリモコンに対応した接続機器が自動的に選択され、該選択された接続機器のＡＶデータをディスプレイで自動的に表示させることができ、その結果、従来のように、ユーザがわざわざリモコンを操作して該リモコンに対応する接続機器を選択する必要がなくなり、ユーザの操作性を大幅に向上させることができる。
【００５６】
（実施の形態２）
以下に、本発明の実施の形態２にかかるＡＶシステムについて説明する。なお、上記実施の形態１と異なる点は、上記実施の形態１では、ＡＶスイッチの機能がディスプレイに内蔵されていたが、本実施の形態２では、ＡＶスイッチはディスプレイと別体である点である。
【００５７】
図９は、本実施の形態２によるＡＶシステムの構成を示す図である。なお、図において、図１と同一または相当する構成要素については同一の符号を用い、その説明を省略する。
【００５８】
２００はディスプレイで、入力された映像を表示したり、音声を出力したりするものである。実施の形態２ではディスプレイにＡＶスイッチは含まれない。２０１はリモコンで各接続機器に付属するものである。２０２は表示部で、映像を表示、音声を出力するもので、例えばＣＲＴや液晶パネル、プラズマディスプレイ等とスピーカーである。２０３はリモコン受信部で、リモコン２０１からの信号を受けるものである。２０４はディスプレイのコントロール部で、ディスプレイ全体の制御をするもので、例えばＣＰＵである。２０５はディスプレイの受信インタフェースで、後述するＡＶスイッチ２０７からのＡＶデータを受けるものである。２０６はＨＤＭＩケーブルで、ディスプレイ２００とＡＶスイッチ２０７を接続し、ＡＶデータをＡＶスイッチ２０７からディスプレイ２００に伝送し、リモコンコードを含めた制御信号をやりとりするものである。２０７はＡＶスイッチで、各接続機器からのＡＶデータを選択し、ディスプレイ２００に向けて出力するものである。２０８はＡＶスイッチ２０７の送信インタフェースで、ディスプレイ２００に対して、ＡＶデータを出力するものである。２０９はＡＶスイッチ２０７のコントロール部で、ＡＶスイッチ２０７の制御を行うものである。２１０はセレクタ部で、ＡＶスイッチ２０７に接続される複数の機器からの映像データ、音声データを選択するものである。２１１はメモリ部で、接続される機器の一覧テーブルを格納するものである。
【００５９】
実施の形態２では、ディスプレイとＡＶスイッチが別体であり、ディスプレイとＡＶスイッチがＨＤＭＩで接続されていることを特徴とする。
【００６０】
以上のように構成された実施の形態２によるＡＶシステムの動作について説明する。
まず、本実施の形態２の処理フローの前半（接続機器の認識方法）を図１０を用いて説明する。処理の前半とは、ＡＶスイッチ２０７とＳＴＢとを接続してから、メーカーコード及び機器コードをＡＶスイッチのメモリ部に格納するまでの処理を示す。
【００６１】
ＳＴＥＰ１０１では、ＡＶスイッチ２０７と第１のＳＴＢ１１０とを接続する。具体的には、ＡＶスイッチ２０７の受信インタフェース１０７と、第１のＳＴＢ１１０の送信インタフェース１００１とをＨＤＭＩケーブル１１３を介して接続する。
【００６２】
ＳＴＥＰ１０２では、ＡＶスイッチ２０７のコントロール部２０９は、第１のＳＴＢ１１０のメーカーコード及び機器コードを第１のＳＴＢ１１０からＨＤＭＩケーブル１１３の機器制御ライン経由で読み込む。
【００６３】
ＳＴＥＰ１０３では、ＳＴＥＰ１０２で読み込んだメーカーコード及び機器コードをＡＶスイッチ２０７のメモリ部１０６に受信インタフェース番号と共に書き込む。
【００６４】
同様に、第２のＳＴＢ１１１、第３のＳＴＢ１１２についてもＨＤＭＩケーブルを用いて接続し、各ＳＴＢ１１１，１１２のメーカーコード及び機器コードをＡＶスイッチ２０７のメモリ部２１１に受信インタフェース番号と共に書込む。
【００６５】
上記処理により、第１のＳＴＢ１１０〜第３のＳＴＢ１１２のメーカーコード及び機器コードがＡＶスイッチ２０７のメモリ部２１１に格納され、図７に示す接続機器一覧テーブルを作成する。
【００６６】
次に実施の形態２での処理フローの後半（接続機器の切換方法）について図１１を用いて説明する。処理の後半とは、ユーザがリモコンボタンを押下してから、接続機器（ここではＳＴＢ）が選択されて、映像表示、音声出力されるまでの処理を示す。
【００６７】
ＳＴＥＰ１０４では、リモコン２０１のボタンをユーザが押下する。
ＳＴＥＰ１０５では、リモコン２０１から発せられたリモコンコードをディスプレイ２００のリモコン受信部２０３が受信する。
【００６８】
ＳＴＥＰ１０６では、リモコン受信部２０３からディスプレイ２００のコントロール部２０４にリモコンコードを転送する。
ＳＴＥＰ１０７では、コントロール部２０４がディスプレイの受信インタフェース２０５の機器制御ラインにリモコンコードを重畳する。
【００６９】
ＳＴＥＰ１０８では、ディスプレイの受信インタフェース２０５がＡＶスイッチ２０７の送信インタフェース２０８に機器制御ライン経由でリモコンコードを転送する。
ＳＴＥＰ１０９では、ＡＶスイッチ２０７のコントロール部２０９が、送信インタフェース２０８より、リモコンコードを受け取り、メーカーコードと機器コードを抽出する。
【００７０】
ＳＴＥＰ１１０では、ＳＴＥＰ１０９で抽出したメーカーコード、機器コードと一致するものをメモリ部２１１の接続機器一覧テーブルで、サーチする。
ＳＴＥＰ１１１では、接続機器一覧テーブルで、例えば受信インタフェース番号＝１で一致したとする。
【００７１】
ＳＴＥＰ１１２では、ＡＶスイッチのコントロール部２０９はセレクタ部２１０を制御して、第１の受信インタフェース１０７を送信インタフェース２０８に接続する。
ＳＴＥＰ１１３では、第１のＳＴＢ１１０からＡＶデータの伝送を開始する。
【００７２】
ＳＴＥＰ１１４では、ＡＶスイッチ２０７経由でディスプレイ２００にＡＶデータを伝送する。
ＳＴＥＰ１１５では、表示部２０２でＡＶデータをアナログ変換して映像表示、音声出力を行う。
【００７３】
上記処理により、ＳＴＢ等の各接続機器に付属するリモコンのボタンをディスプレイに向けて押下することで、そのリモコンに対応した機器の映像、音声が自動的に表示、出力される。
【００７４】
このような本実施の形態２では、ディスプレイ２００とＨＤＭＩケーブル２０６で接続されているＡＶスイッチ２０７に第１〜第３のＳＴＢ１１０〜１１２を接続した場合、ＡＶスイッチ２０７が各ＳＴＢ１１０〜１１２からメーカーコード及び機器コードを読み出して接続機器一覧テーブルを作成し、ユーザがリモコンのボタンを押下したときに、ディスプレイ２００が該リモコンから発せられるリモコンコードを受信してＡＶスイッチ２０７に転送し、上記リモコンコードに含まれるメーカーコード及び機器コードと一致するものを上記接続機器一覧テーブルでサーチし、該メーカーコード及び機器コードが一致するＳＴＢが接続されている受信インタフェースを送信インタフェース２０８に接続するようセレクタ２１０を切り替え、該ＳＴＢからＡＶデータをＡＶスイッチ２０７経由でディスプレイ２００に転送し、表示部２０２で表示、再生するようにしたので、リモコンのボタンをディスプレイに向けて押下するだけで、そのリモコンに対応した接続機器が自動的に選択され、該選択された接続機器のＡＶデータをディスプレイで自動的に表示させることができ、その結果、従来のように、ユーザがわざわざリモコンを操作して該リモコンに対応する接続機器を選択する必要がなくなり、ユーザの操作性を大幅に向上させることができる。
【００７５】
（実施の形態３）
以下に、本発明の実施の形態３にかかるＡＶシステムについて説明する。
本実施の形態３によるＡＶシステムの構成は、上記実施の形態１と同様の構成であり（図１）、ＡＶスイッチの機能はディスプレイに内蔵される。
【００７６】
なお、上記実施の形態１と異なる点は、上記実施の形態１では、ＨＤＭＩの機器制御ラインを用いてＳＴＢ等の接続機器からメーカーコード及び機器コードを転送していたが、本実施の形態３では、映像のブランキング期間の一部にメーカーコード、機器コードを重畳して、ＳＴＢから転送するようにした点である。
【００７７】
以下に、本実施の形態３の処理フローの前半（接続機器の認識方法）を図１２に示す。処理の前半とは、ＳＴＢとディスプレイを接続してから、メーカーコード及び機器コードをディスプレイのメモリ部に格納するまでの処理を示す。
【００７８】
ＳＴＥＰ２０１では、ディスプレイ１００と第１のＳＴＢ１１０とを接続する。
ＳＴＥＰ２０２では、第１のＳＴＢ１１０のコントロール部１００２がメーカーコード、機器コードをメモリ部１００３から読み出す。
【００７９】
ＳＴＥＰ２０３では、ＳＴＥＰ２０２で読み出したメーカーコード、機器コードを送信インタフェース１００１に転送する。
ＳＴＥＰ２０４では、送信インタフェース１００１はメーカーコード、機器コードを保持する。
【００８０】
ＳＴＥＰ２０５では、第１のＳＴＢ１１０はＡＶデコードを行い、送信インタフェース１００１からＨＤＭＩケーブル１１３を経由して、ＡＶ伝送を開始する。
ＳＴＥＰ２０６では、送信インタフェース１００１はメーカーコード、機器コードを映像のブランキング期間の一部に重畳して、ＨＤＭＩケーブル１１３を経由してディスプレイ１００に伝送する。ブランキング期間への重畳の仕方については後述する。
【００８１】
ＳＴＥＰ２０７では、ディスプレイ１００の第１の受信インタフェース１０７はＨＤＭＩケーブル１１３からＡＶデータを受信する。
ＳＴＥＰ２０８では、ディスプレイ１００の第１の受信インタフェース１０７は映像のブランキング期間に重畳されているメーカーコード、機器コードを抽出し、保持する。また、抽出したことをディスプレイ１００のコントロール部１０４に通知する。
【００８２】
ＳＴＥＰ２０９では、ディスプレイ１００のコントロール部１０４は第１の受信インタフェース１０７からメーカーコード、機器コードを読み出し、メモリ部１０６に受信インタフェース番号と共に書き込む。
【００８３】
同様に、第２のＳＴＢ１１１、第３のＳＴＢ１１２についてもＨＤＭＩケーブルを用いて接続し、各ＳＴＢ１１１，１１２のメーカーコード及び機器コードをディスプレイ１００のメモリ部１０６に受信インタフェース番号と共に書込む。
【００８４】
上記処理により、第１のＳＴＢ１１０〜第３のＳＴＢ１１２のメーカーコード及び機器コードがディスプレイ１００のメモリ部１０６に格納され、接続機器一覧テーブルを作成する。
【００８５】
ここで、ＳＴＥＰ２０６におけるメーカーコード、機器コードの重畳の仕方を図１３に示す。映像のブランキング期間の画面左上隅から、垂直方向にｍライン目、水平方向にｎドット目にメーカーコード１６ビット、機器コード１２ビットを重畳する。両者の重畳の時間的順序はどちらが先でもかまわない。第１のＳＴＢ１１０の送信インタフェース１００１は、ＡＶデコーダ部１００８から出力される水平同期信号、及び垂直同期信号から画面左上隅を判定し、垂直にｍラインカウント、水平にｎドットカウントした時間的位置にメーカーコード、機器コードを重畳すればよい。そして、ＳＴＥＰ２０８において、第１の受信インタフェース１０７により、映像の水平同期信号、垂直同期信号を復元し画面左上隅を判定し、垂直方向にｍライン目、水平方向にｎドット目に重畳されているメーカーコード、機器コードを抽出すればよい。
【００８６】
次に、本実施の形態３での処理フローの後半（接続機器の切換方法）について図１４を用いて説明する。処理の後半とは、ユーザがリモコンボタンを押下してから、接続機器（ここではＳＴＢ）が選択されて、映像表示、音声出力されるまでである。
ＳＴＥＰ２１０では、リモコン１０１のボタンをユーザが押下する。
【００８７】
ＳＴＥＰ２１１では、リモコン１０１から発せられたリモコンコードをディスプレイ１００のリモコン受信部１０３が受信する。
ＳＴＥＰ２１２では、リモコン受信部１０３からディスプレイ１００のコントロール部１０４にリモコンコードを転送する。
【００８８】
ＳＴＥＰ２１３では、コントロール部１０４がリモコンコードからメーカーコード、機器コードを抽出する。
ＳＴＥＰ２１４では、ＳＴＥＰ２１３で抽出したメーカーコード、機器コードに一致するものをメモリ部１０６の接続機器一覧テーブルでサーチする。
【００８９】
ＳＴＥＰ２１５では、接続機器一覧テーブルで、例えば受信インタフェース番号＝１で一致したとする。
ＳＴＥＰ２１６では、コントロール部１０４はセレクタ１０５を制御して、第１の受信インタフェース１０７から来た信号を表示部１０２に接続する。
【００９０】
ＳＴＥＰ２１７では、セレクタ１０５経由で表示部１０２にＡＶデータを伝送する。
ＳＴＥＰ２１８では、表示部１０２でＡＶデータをアナログ変換して、映像表示、音声出力を行う。
【００９１】
上記処理により、ＳＴＢ等の各接続機器に付属するリモコンのボタンをディスプレイに向けて押下することで、そのリモコンに対応した機器の映像、音声が自動的に表示、出力される。
【００９２】
このような本実施の形態３では、ディスプレイ１００に第１〜第３のＳＴＢ１１０〜１１２を接続した場合、各ＳＴＢは映像のブランキング期間の一部に各ＳＴＢ自身のメーカーコード、及び機器コードを重畳してディスプレイ１００側に伝送し、ディスプレイ１００は映像のブランキング期間から上記メーカーコード、及び機器コードを抽出して接続機器一覧テーブルを作成し、ユーザがリモコンのボタンを押下したときに、ディスプレイ１００が該リモコンから発せられるリモコンコードを受信し、そのリモコンコードに含まれるメーカーコード及び機器コードと一致するものを上記接続機器一覧テーブルでサーチし、該メーカーコード及び機器コードが一致するＳＴＢが接続されている受信インタフェースと表示部１０２とを接続するようセレクタ１０５を切り替え、該ＳＴＢからＡＶデータをディスプレイ１００に転送し、表示部１０２でＡＶデータを表示、再生するようにしたので、リモコンのボタンをディスプレイに向けて押下するだけで、そのリモコンに対応した接続機器が自動的に選択され、該選択された接続機器のＡＶデータをディスプレイで自動的に表示させることができ、その結果、従来のように、ユーザがわざわざリモコンを操作して該リモコンに対応する接続機器を選択する必要がなくなり、ユーザの操作性を大幅に向上させることができる。
【００９３】
（実施の形態４）
以下に、本発明の実施の形態４にかかるＡＶシステムについて説明する。本実施の形態４は、上記実施の形態２と上記実施の形態３との組み合わせである。つまり、実施の形態４にかかるＡＶシステムは、上記実施の形態２のように、ディスプレイとＡＶスイッチが別体であり、かつ、上記実施の形態３のように、ＳＴＢなどの接続機器から映像のブランキング期間で、メーカーコード機器コードを伝送するという特徴をもつ。本実施の形態４にかかるＡＶシステムの構成を図９に示す。なお、図９については上記実施の形態２で説明したので、ここではその説明を省略する。
【００９４】
以下に、本実施の形態４によるＡＶシステムの動作について説明する。
本実施の形態４の処理フローの前半（接続機器の認識方法）を図１５に示す。処理の前半とは、ＡＶスイッチとＳＴＢとを接続してから、メーカーコード及び機器コードをＡＶスイッチのメモリ部に格納するまでの処理を示す。
【００９５】
ＳＴＥＰ３０１では、ＡＶスイッチ２０７と第１のＳＴＢ１１０とを接続する。
ＳＴＥＰ３０２では、第１のＳＴＢ１１０のコントロール部１００２がメーカーコード、機器コードをメモリ部１００３から読み出す。
【００９６】
ＳＴＥＰ３０３では、ＳＴＥＰ２０２で読み出したメーカーコード、機器コードを送信インタフェース１００１に転送する。
ＳＴＥＰ３０４では、送信インタフェース１００１はメーカーコード、機器コードを保持する。
【００９７】
ＳＴＥＰ３０５では、第１のＳＴＢ１１０はＡＶデコードを行い、送信インタフェース１００１からＨＤＭＩケーブル１１３を経由して、ＡＶ伝送を開始する。
ＳＴＥＰ３０６では、送信インタフェース１００１はメーカーコード、機器コードを映像のブランキング期間の一部に重畳して、ＨＤＭＩケーブル１１３を経由してＡＶスイッチ２０７に伝送する。
【００９８】
ＳＴＥＰ３０７では、ＡＶスイッチ２０７の第１の受信インタフェース１０７はＨＤＭＩケーブル１１３からＡＶデータを受信する。
ＳＴＥＰ３０８では、ＡＶスイッチ２０７の第１の受信インタフェース１０７は映像のブランキング期間に重畳されているメーカーコード、機器コードを抽出し、保持する。また、抽出したことをＡＶスイッチ２０７のコントロール部２０９に通知する。
【００９９】
ＳＴＥＰ３０９では、ＡＶスイッチ２０７のコントロール部２０９は第１の受信インタフェース１０７からメーカーコード、機器コードを読み出し、メモリ部２１１に受信インタフェース番号と共に書込む。
【０１００】
同様に、第２のＳＴＢ１１１、第３のＳＴＢ１１２についてもＨＤＭＩケーブルを用いて接続し、各ＳＴＢ１１１，１１２のメーカーコード及び機器コードをＡＶスイッチ２０７のメモリ部２１１に受信インタフェース番号と共に書込む。
【０１０１】
上記処理により、第１のＳＴＢ１１０〜第３のＳＴＢ１１２のメーカーコード、及び機器コードがＡＶスイッチ２０７のメモリ部２１１に格納され、接続機器一覧テーブルを作成する。
【０１０２】
次に、本実施の形態４での処理フローの後半（接続機器の切換方法）について図１６を用いて説明する。処理の後半とは、ユーザがリモコンボタンを押下してから、接続機器（ここではＳＴＢ）が選択されて、映像表示、音声出力されるまでである。
【０１０３】
ＳＴＥＰ３１０では、リモコン２０１のボタンをユーザが押下する。
ＳＴＥＰ３１１では、リモコン２０１から発せられたリモコンコードをディスプレイ２００のリモコン受信部２０３が受信する。
【０１０４】
ＳＴＥＰ３１２では、リモコン受信部２０３からディスプレイ２００のコントロール部２０４にリモコンコードを転送する。
ＳＴＥＰ３１３では、コントロール部２０４がディスプレイ２００の受信インタフェース２０５の機器制御ラインにリモコンコードを重畳する。
【０１０５】
ＳＴＥＰ３１４では、ディスプレイの受信インタフェース２０５がＡＶスイッチ２０７の送信インタフェース２０８に機器制御ライン経由でリモコンコードを転送する。
ＳＴＥＰ３１５では、ＡＶスイッチ２０７のコントロール部２０９が、送信インタフェース２０８より、リモコンコードを受け取り、メーカーコードと機器コードを抽出する。
【０１０６】
ＳＴＥＰ３１６では、ＳＴＥＰ３１５で抽出したメーカーコード、機器コードと一致するものをメモリ部２１１の接続機器一覧テーブルで、サーチする。
ＳＴＥＰ３１７では、接続機器一覧テーブルで、例えば受信インタフェース番号＝１で一致したとする。
【０１０７】
ＳＴＥＰ３１８では、ＡＶスイッチのコントロール部２０９はセレクタ部２１０を制御して、第１の受信インタフェース１０７を送信インタフェース２０８に接続する。
ＳＴＥＰ３１９では、第１のＳＴＢ１１０からＡＶデータの伝送を開始する。
【０１０８】
ＳＴＥＰ３２０では、ＡＶスイッチ２０７経由でディスプレイ２００にＡＶデータを伝送する。
ＳＴＥＰ３２１では、表示部２０２でＡＶデータをアナログ変換して映像表示、音声出力を行う。
【０１０９】
上記処理により、ＳＴＢ等の各接続機器に付属するリモコンのボタンをディスプレイに向けて押下することで、そのリモコンに対応した機器の映像、音声が自動的に表示、出力される。
【０１１０】
このような本実施の形態４では、ディスプレイ２００とＨＤＭＩケーブル２０６で接続されているＡＶスイッチ２０７に第１〜第３のＳＴＢ１１０〜１１２を接続した場合、各ＳＴＢは映像のブランキング期間の一部に各ＳＴＢ自身のメーカーコード、及び機器コードを重畳してＡＶスイッチ２０７に伝送し、ＡＶスイッチ２０７は映像のブランキング期間から上記メーカーコード、及び機器コードを抽出して接続機器一覧テーブルを作成し、ユーザがリモコンのボタンを押下したときに、ディスプレイ２００が該リモコンから発せられるリモコンコードを受信してＡＶスイッチ２０７に転送し、上記リモコンコードに含まれるメーカーコード及び機器コードと一致するものを上記接続機器一覧テーブルでサーチし、該メーカーコード及び機器コードが一致するＳＴＢが接続されている受信インタフェースを送信インタフェース２０８に接続するようセレクタ２１０を切り替え、該ＳＴＢからＡＶデータをＡＶスイッチ２０７経由でディスプレイ２００に転送し、表示部２０２で表示、再生するようにしたので、リモコンのボタンをディスプレイに向けて押下するだけで、そのリモコンに対応した接続機器が自動的に選択され、該選択された接続機器のＡＶデータをディスプレイで自動的に表示させることができ、その結果、従来のように、ユーザがわざわざリモコンを操作して該リモコンに対応する接続機器を選択する必要がなくなり、ユーザの操作性を大幅に向上させることができる。
【０１１１】
なお、上記実施の形態１〜４では、各接続機器のリモコンボタン押下にしたがって、当該機器がＡＶデータの伝送を開始し、ディスプレイで表示する場合について説明したが、ＡＶデータだけでなくＯＳＤ（ON Screen Display）等の画像データを伝送し、表示してもかまわない。
【０１１２】
また、上記実施の形態１〜４では、押下したリモコンボタンの機能にしたがって、選択された接続機器が動作しても構わない。例えば、ＤＶＤのリモコンの再生ボタンを押下した場合は、そのリモコンに対応したＤＶＤが選択されて再生が始まり、ＳＴＢのリモコンで番組表のボタンを押下した場合は、そのリモコンに対応したＳＴＢが選択されて番組表が表示される。
【０１１３】
また、上記実施の形態１〜４では、リモコンコードの伝送に機器制御ラインを用いたり、映像のブランキング期間を利用したりする場合について説明したが、それ以外に、ＨＤＭＩケーブルのＤＤＣラインのＩ２Ｃバスを用いてもかまわないし、それら複数を組み合わせて用いてもかまわない。
【０１１４】
（実施の形態５）
以下に、本発明の実施の形態５によるＡＶシステムについて説明する。上記実施の形態１と異なる点は、上記実施の形態１では、リモコンコードに含まれるメーカコード、及び機器コードを用いて接続機器の識別を行なっていたが、本実施の形態５では、メーカーコード、及び機器コード以外の識別情報を用いて接続機器の識別を行なうようにした点である。
【０１１５】
本実施の形態５によるＡＶシステムの構成を図１に示す。図１については上記実施の形態１で説明したので、ここではその説明を省略する。
【０１１６】
なお、本実施の形態５では、図１９に示すベンダーＩＤ一覧テーブルと、図２０に示す機器アドレス一覧テーブルは、ディスプレイ１００のメモリ部１０６に予め格納されている。なお、ベンダーＩＤ一覧テーブルは、メーカーコードに対応するベンダーＩＤを取得する際に用いらるものであり、機器アドレス一覧テーブルは、機器コードに対応する機器アドレスを取得する際に用いられるものである。
【０１１７】
以下に、本実施の形態５によるＡＶシステムの動作について説明する。
まず、ディスプレイ１００に接続される接続機器の認識方法について図１７を用いて説明する。
【０１１８】
ディスプレイ１００側では、各受信インターフェースに外部機器が接続されているか否かを検知し、例えば、第１の受信インタフェース１０７にＨＤＭＩケーブル１１３を介して第１のＳＴＢ１１０が接続されていることを確認した場合、該第１のＳＴＢ１１０に対し、該第１のＳＴＢ１１０のベンダーＩＤ，機器アドレス，物理アドレスを問い合わせる。第１のＳＴＢ１１０は、上記ディスプレイ１００からの問い合わせにより、メモリ部１００３に格納しているベンダーＩＤ，機器アドレス，物理アドレスをディスプレイ１００側に通知する。そして、ディスプレイ１００では、上記第１のＳＴＢ１１０からの通知内容をメモリ部１０６に格納する。
【０１１９】
以上のようにして第１のＳＴＢ１１０のベンダーＩＤ，機器アドレス，物理アドレスを取得する。さらに、第２のＳＴＢ１１１，第３のＳＴＢ１１２も同様にして、該各ＳＴＢのベンダーＩＤ，機器アドレス，物理アドレスを取得する。
【０１２０】
メモリ部１０６では、上記処理により取得した内容に基づき、接続機器一覧テーブルを作成する。接続機器一覧テーブルを図１８に示す。ここでは、第１の受信インタフェース１０７に接続された第１のＳＴＢ１１０の物理アドレスを“１”、第２の受信インタフェース１０８に接続された第２のＳＴＢ１１１の物理アドレスを“２”、第３の受信インタフェース１０９に接続された第３のＳＴＢ１１２の物理アドレスを“３”とした。なお、物理アドレスは、接続された時系列順に、１，２，３と割り振っても良い。
なお、物理アドレスの振り方は、上述したものに限らない。
【０１２１】
次に、実施の形態５による接続機器の切換方法を図２１を用いて説明する。
ＳＴＥＰ４０１では、リモコン１０１のボタンをユーザが押下する。
【０１２２】
ＳＴＥＰ４０２では、リモコン１０１から発せられたリモコンコードをディスプレイ１００のリモコン受信部１０３が受信する。
ＳＴＥＰ４０３では、リモコン受信部１０３からコントロール部１０４にリモコンコードを転送する。
【０１２３】
ＳＴＥＰ４０４では、コントロール部１０４はリモコンコードからメーカーコード、及び機器コードを抽出する。
ＳＴＥＰ４０５では、ＳＴＥＰ４０４で抽出したメーカーコード、及び機器コードに対応するベンダーＩＤ，及び機器アドレスをそれぞれ図１９及び図２０に示したテーブルでサーチする。
【０１２４】
ＳＴＥＰ４０６では、ＳＴＥＰ４０５でのサーチの結果に基づいて図１８に示す接続機器一覧テーブルから物理アドレスを選択する。例えば、ベンダーＩＤ，及び機器アドレスがそれぞれvendor_id_1，kiki_addr_1であったとすると、物理アドレス“１”を選択する。そして、コントロール部１０４は、セレクタ部１０５を制御して、第１の受信インタフェース１０７と表示部１０２とを接続する。
【０１２５】
上記処理により、各接続機器に付属するリモコンのボタンをディスプレイ１００に向けて押下するだけで、そのリモコンに対応した接続機器を自動的に選択することができ、また、該リモコンを用いて対応する接続機器の動作を制御することができる。
【０１２６】
このような実施の形態５では、ディスプレイ１００側に第１〜第３のＳＴＢ１１０〜１１２を接続した場合、ディスプレイ１００は各ＳＴＢ側にベンダーＩＤ，機器アドレス、及び物理アドレスを問い合わせ、各ＳＴＢ１１０〜１１２からの通知内容に基づいて接続機器一覧テーブルを作成し、ユーザがリモコンのボタンを押下したときに、該リモコンから発せられるリモコンコードをディスプレイ１００側で受信し、そのリモコンコードに含まれるメーカーコード及び機器コードに対応するベンダーＩＤ，機器アドレスを予め格納してあるベンダーＩＤ一覧テーブル，及び機器アドレス一覧テーブルから取得し、取得したベンダーＩＤ，及び機器アドレスに基づいて上記接続機器一覧テーブルから物理アドレスを取得し、該物理アドレスに対応するＳＴＢが接続されている受信インタフェースと表示部１０２とを接続するようセレクタ１０５を切り替えるようにしたので、リモコンのボタンをディスプレイに向けて押下するだけで、そのリモコンに対応したＳＴＢを自動的に選択することができる。その結果、従来のように、ユーザがわざわざリモコンを操作して該リモコンに対応する接続機器を選択する必要がなくなり、ユーザの操作性を大幅に向上させることができる。
【０１２７】
（実施の形態６）
以下に、本発明の実施の形態６によるＡＶシステムについて説明する。なお、上記実施の形態５と異なる点は、上記実施の形態５では、ＡＶスイッチの機能がディスプレイに内蔵されていたが、本実施の形態６では、ＡＶスイッチはディスプレイと別体である点である。
【０１２８】
本実施の形態６によるＡＶシステムの構成を図９に示す。図９については上記実施の形態２で説明したので、ここではその説明を省略する。
なお、本実施の形態6では、図１９に示すベンダーＩＤ一覧テーブルと、図２０に示す機器アドレス一覧テーブルは、ＡＶスイッチ２０７のメモリ部２０９に予め格納されている。
【０１２９】
次に、本実施の形態６によるＡＶシステムの動作について説明する。なお、ＡＶスイッチ２０７に接続される接続機器の認識方法について、上記実施の形態５とほとんど同じ動作であり、異なるのは、作成した接続機器一覧テーブル（図１８に示す）をＡＶスイッチ２０７のメモリ部２１１に格納した点である。
【０１３０】
以下、実施の形態６による接続機器の切換方法を図２２を用いて説明する。
ＳＴＥＰ５０１では、リモコン２０１のボタンをユーザが押下する。
【０１３１】
ＳＴＥＰ５０２では、リモコン２０１から発せられたリモコンコードをディスプレイ２００のリモコン受信部２０３が受信する。
ＳＴＥＰ５０３では、リモコン受信部２０３からディスプレイ２００のコントロール部２０４にリモコンコードを転送する。
【０１３２】
ＳＴＥＰ５０４では、コントロール部２０４がディスプレイの受信インタフェース２０５の機器制御ラインにリモコンコードを重畳する。
ＳＴＥＰ５０５では、ディスプレイの受信インタフェース２０５がＡＶスイッチ２０７の送信インタフェース２０８に機器制御ライン経由でリモコンコードを転送する。
【０１３３】
ＳＴＥＰ５０６では、ＡＶスイッチ２０７のコントロール部２０９が、送信インタフェース２０８より、リモコンコードを受け取り、メーカーコードと機器コードを抽出する。
ＳＴＥＰ５０７では、コントロール部２０９は、ＳＴＥＰ５０６で抽出したメーカーコード、及び機器コードに対応するベンダーＩＤ，及び機器アドレスをそれぞれ図１９及び図２０に示したテーブルでサーチする。
【０１３４】
ＳＴＥＰ５０８では、コントロール部２０９は、ＳＴＥＰ５０７でのサーチの結果に基づいて図１８に示す接続機器一覧テーブルから物理アドレスを選択する。例えば、ベンダーＩＤ，及び機器アドレスがそれぞれvendor_id_1，kiki_addr_1であったとすると、物理アドレス“１”を選択する。そして、コントロール部２０９は、セレクタ部２１０を制御して、第１の受信インタフェース１０７の出力を送信インタフェース２０８に接続する。
【０１３５】
上記処理により、各接続機器に付属するリモコンのボタンをディスプレイ２００に向けて押下するだけで、そのリモコンに対応した機器を自動的に選択することができる。
【０１３６】
このような実施の形態６では、ディスプレイ２００とＨＤＭＩケーブル２０６で接続されているＡＶスイッチ２０７に第１〜第３のＳＴＢ１１０〜１１２を接続した場合、ＡＶスイッチ２０７は各ＳＴＢ側にベンダーＩＤ，機器アドレス、及び物理アドレスを問い合わせ、各ＳＴＢ１１０〜１１２からの通知内容に基づいて接続機器一覧テーブルを作成し、ユーザがリモコンのボタンを押下したときに、該リモコンから発せられるリモコンコードをディスプレイ２００側で受信してＡＶスイッチ２０７側に転送し、そのリモコンコードに含まれるメーカーコード及び機器コードに対応するベンダーＩＤ，機器アドレスを予め格納してあるベンダーＩＤ一覧テーブル，及び機器アドレス一覧テーブルから取得し、取得したベンダーＩＤ，及び機器アドレスに基づいて上記接続機器一覧テーブルから物理アドレスを取得し、該物理アドレスに対応するＳＴＢが接続されている受信インタフェースと送信インタフェース２０８とを接続するようセレクタ２１０を切り替えるようにしたので、リモコンのボタンをディスプレイに向けて押下するだけで、そのリモコンに対応したＳＴＢを自動的に選択することができる。その結果、従来のように、ユーザがわざわざリモコンを操作して該リモコンに対応する接続機器を選択する必要がなくなり、ユーザの操作性を大幅に向上させることができる。
【０１３７】
（実施の形態７）
以下に、本発明の実施の形態７によるＡＶシステムについて説明する。
上記実施の形態５と異なる点は、上記実施の形態５では、ディスプレイ側でユーザが押下したリモコンに対応する接続機器を識別し、セレクタ１０５を切り換えていたが、本実施の形態７では、ユーザが押下したリモコンに対応する接続機器側からセレクタ１０５の切り換えをするようにした点である。
【０１３８】
次に、本実施の形態７によるＡＶシステムの動作について説明する。なお、ディスプレイ１００に接続される接続機器の認識方法については上記実施の形態５と同様であるため、ここではその説明を省略する。
【０１３９】
以下、実施の形態７による接続機器の切換方法について図２３を用いて説明する。
ＳＴＥＰ６０１では、リモコン１０１のボタンをユーザが押下する。
ＳＴＥＰ６０２では、リモコン１０１から発せられたリモコンコードをディスプレイ１００のリモコン受信部１０３が受信する。
【０１４０】
ＳＴＥＰ６０３では、リモコン受信部１０３からコントロール部１０４にリモコンコードを転送する。
ＳＴＥＰ６０４では、コントロール部１０４は、図２４に示すように、リモコンコードにヘッダを付加して全ＳＴＢに対し一斉に送信（ブロードキャスト）する。
【０１４１】
ＳＴＥＰ６０５では、各ＳＴＢでは、ディスプレイ１００側から受け取ったリモコンコードが自分宛であるか否かを確認する。つまり、上記リモコンコードからメーカーコード、及び機器コードを抽出して、予め格納されている自機器のメーカーコード、及び機器コードと比較し、一致していれば、上記リモコンコードは自分宛であると判断する。
【０１４２】
ＳＴＥＰ６０６では、上記リモコンコードが自分宛であると判断したＳＴＢは、ディスプレイ１００のコントロール部１０４に対し、ＨＤＭＩケーブルの機器制御ライン経由で切換指示を出力する。例えば、第１のＳＴＢ１１０のメーカーコード、及び機器コードと、リモコンコードに含まれるメーカーコード、及び機器コードが一致したとすると、第１のＳＴＢ１１０がディスプレイ１００側にＨＤＭＩケーブル１１３の機器制御ライン経由で切換指示を出力する。そして、コントロール部１０４は、第１のＳＴＢ１１０からの指示によりセレクタ部１０５を制御して、第１の受信インタフェース１０７と表示部１０２とを接続する。
【０１４３】
上記処理により、各接続機器に付属するリモコンのボタンをディスプレイ１００に向けて押下するだけで、そのリモコンに対応した機器を選択するようセレクタ１０５を自動的に切り換えることができる。
【０１４４】
このような実施の形態７では、リモコンのボタンをユーザが押下したとき、リモコンから発せられたリモコンコードをディスプレイ１００側で受信し、リモコンコードにヘッダを付加して全ＳＴＢに対しブロードキャストし、各ＳＴＢ側で、上記リモコンコードに含まれるメーカーコード及び機器コードに基づいて該リモコンコードが自分宛であるか否かを判断し、自分宛であると判断したＳＴＢからディスプレイ１００側に対し切換指示を出力するようにしたので、リモコンのボタンをディスプレイに向けて押下するだけで、そのリモコンに対応したＳＴＢを自動的に選択することができる。その結果、従来のように、ユーザがわざわざリモコンを操作して該リモコンに対応する接続機器を選択する必要がなくなり、ユーザの操作性を大幅に向上させることができる。
【０１４５】
（実施の形態８）
以下に、本発明の実施の形態８によるＡＶシステムについて説明する。なお、上記実施の形態７と異なる点は、上記実施の形態７では、ＡＶスイッチの機能がディスプレイに内蔵されていたが、本実施の形態８では、ＡＶスイッチはディスプレイと別体である点である。
【０１４６】
本実施の形態８によるＡＶシステムの構成を図９に示す。なお、図９については上記実施の形態２で説明したので、ここではその説明を省略する。
なお、本実施の形態８では、図１９に示すベンダーＩＤ一覧テーブルと、図２０に示す機器アドレス一覧テーブルは、ＡＶスイッチ２０７のメモリ部２０９に予め格納されている。
【０１４７】
次に、本実施の形態８によるＡＶシステムの動作について説明する。なお、ＡＶスイッチ２０７に接続される接続機器の認識方法については上記実施の形態６と同様であるため、ここではその説明を省略する。
【０１４８】
以下、実施の形態８による接続機器の切換方法を図２５を用いて説明する。
ＳＴＥＰ７０１では、リモコン２０１のボタンをユーザが押下する。
【０１４９】
ＳＴＥＰ７０２では、リモコン２０１から発せられたリモコンコードをディスプレイ２００のリモコン受信部２０３が受信する。
ＳＴＥＰ７０３では、リモコン受信部２０３からコントロール部２０４にリモコンコードを転送する。
【０１５０】
ＳＴＥＰ７０４では、コントロール部２０４は、受信インタフェース２０５の機器制御ラインにリモコンコードを重畳する。
ＳＴＥＰ７０５では、受信インタフェース２０５は、ＡＶスイッチ２０７の送信インタフェース２０８に機器制御ライン経由でリモコンコードを転送する。
【０１５１】
ＳＴＥＰ７０６では、ＡＶスイッチ２０７のコントロール部２０９は、送信インタフェース２０８で受け取ったリモコンコードに、図２４に示すように、ヘッダを付加して全ＳＴＢに対しブロードキャストする。
【０１５２】
ＳＴＥＰ７０７では、各ＳＴＢでは、ＡＶスイッチ２０７側から受け取ったリモコンコードが自分宛であるか否かを確認する。つまり、上記リモコンコードからメーカーコード、及び機器コードを抽出して、予め格納されている自機器のメーカーコード、及び機器コードと比較し、一致していれば、上記リモコンコードが自分宛であると判断する。
【０１５３】
ＳＴＥＰ７０８では、上記リモコンコードが自分宛であると判断したＳＴＢは、ＡＶスイッチ２０７のコントロール部２０９に対し、ＨＤＭＩケーブルの機器制御ライン経由で切換指示を出力する。例えば、第１のＳＴＢ１１０のメーカーコード、及び機器コードと、リモコンコードに含まれるメーカーコード、及び機器コードが一致したとすると、第１のＳＴＢ１１０がＡＶスイッチ２０７側にＨＤＭＩケーブル１１３の機器制御ライン経由で切換指示を出力する。そして、コントロール部２０９は、第１のＳＴＢ１１０からの指示によりセレクタ部２１０を制御して、第１のＳＴＢ１１０と送信インタフェース２０８とを接続する。
【０１５４】
上記処理により、各接続機器に付属するリモコンのボタンをディスプレイ２００に向けて押下するだけで、そのリモコンに対応した機器を選択するようセレクタ２１０を自動的に切り換えることができる。
【０１５５】
このような実施の形態８では、リモコンのボタンをユーザが押下したとき、リモコンから発せられたリモコンコードをディスプレイ２００側で受信してＡＶスイッチ２０７に転送し、ＡＶスイッチ２０７はリモコンコードにヘッダを付加して全ＳＴＢに対しブロードキャストし、各ＳＴＢ側で、上記リモコンコードに含まれるメーカーコード及び機器コードに基づいて該リモコンコードが自分宛であるか否かを判断し、自分宛であると判断したＳＴＢからＡＶスイッチ２０７側に対し切換指示を出力するようにしたので、リモコンのボタンをディスプレイに向けて押下するだけで、そのリモコンに対応したＳＴＢを自動的に選択することができる。その結果、従来のように、ユーザがわざわざリモコンを操作して該リモコンに対応する接続機器を選択する必要がなくなり、ユーザの操作性を大幅に向上させることができる。
【０１５６】
なお、上記実施の形態７，８では、リモコンコードが自分宛であるかを確認する際、リモコンコードに含まれるメーカーコード、及び機器コードを用いる場合について説明したが、ヘッダに含まれる機器アドレス、及びリモコンコードに含まれるベンダーＩＤを用いて確認するようにしても良い。
【０１５７】
（実施の形態９）
以下に、本発明の実施の形態９によるＡＶシステムについて説明する。
本実施の形態９によるＡＶシステムを図１に示す。なお、図１については上記実施の形態１にて説明したので、ここではその説明を省略する。
【０１５８】
次に、本実施の形態９によるＡＶシステムの動作について説明する。なお、本実施の形態９では、ディスプレイ１００の各接続機器の認識については、上記実施の形態１，３，５のいずれかで説明した方法により行う。
【０１５９】
以下に、接続機器の制御方法について図２６を用いて説明する。
ＳＴＥＰ８０１では、リモコン１０１のボタンをユーザが押下する。
ＳＴＥＰ８０２では、リモコン１０１から発せられたリモコンコードをディスプレイ１００のリモコン受信部１０３が受信する。
【０１６０】
ＳＴＥＰ８０３では、リモコン受信部１０３からコントロール部１０４にリモコンコードを転送する。
ＳＴＥＰ８０４では、コントロール部１０４は、図２７に示すように、リモコンコードにヘッダを付加して全ＳＴＢに対しブロードキャストする。
【０１６１】
ＳＴＥＰ８０５では、各ＳＴＢでは、ディスプレイ１００側から受け取った信号のヘッダに含まれる機器アドレスに基づき、ディスプレイ１００からの出力信号が自分宛であるか否かを判断する。自分宛であると判断した場合は、ＳＴＥＰ８０６に進み、リモコンコードに含まれるコマンドに従って動作を実行する。一方、自分宛ではないと判断した場合は、ＳＴＥＰ８０７に進み、動作を実行しない。
【０１６２】
上記処理により、各接続機器に付属するリモコンのボタンをディスプレイ１００に向けて押下するだけで、そのリモコンに対応した機器にユーザが所望の動作を実行させることができる。
【０１６３】
なお、ユーザが所望の接続機器のデータを表示部１０２に表示したい場合、ユーザが所望の接続機器に対応するリモコンを用いて、上記実施の形態１，３，５，７のいずかで説明した切換方法により表示画面を切り換えることができる。
【０１６４】
このような実施の形態９では、リモコンのボタンをユーザが押下したとき、リモコンから発せられたリモコンコードをディスプレイ１００側で受信し、リモコンコードにヘッダを付加して全ＳＴＢに対しブロードキャストし、各ＳＴＢ側で、上記ディスプレイ１００の出力信号のうちのヘッダに含まれる機器アドレスに基づいて上記リモコンコードが自分宛であるか否かを判断し、自分宛であると判断したＳＴＢは、上記リモコンコードに含まれるコマンドに従って動作を実行するようにしたので、映像機器のリモコン操作をディスプレイに向けて行うことができる。
【０１６５】
（実施の形態１０）
以下に、本発明の実施の形態１０によるＡＶシステムについて説明する。
本実施の形態１０によるＡＶシステムを図９に示す。なお、図９については上記実施の形態２にて説明したので、ここではその説明を省略する。
【０１６６】
次に、本実施の形態１０によるＡＶシステムの動作について説明する。なお、本実施の形態１０では、接続機器の認識については、上記実施の形態２，４，６のいずれかで説明した方法により行う。
【０１６７】
以下、接続機器の制御方法について図２８を用いて説明する。
ＳＴＥＰ９０１では、リモコン２０１のボタンをユーザが押下する。
【０１６８】
ＳＴＥＰ９０２では、リモコン２０１から発せられたリモコンコードをディスプレイ２００のリモコン受信部２０３が受信する。
【０１６９】
ＳＴＥＰ９０３では、リモコン受信部２０３からコントロール部２０４にリモコンコードを転送する。
ＳＴＥＰ９０４では、コントロール部２０４は受信インタフェース２０５の機器制御ラインにリモコンコードを重畳する。
【０１７０】
ＳＴＥＰ９０５では、受信インタフェース２０５は、ＡＶスイッチ２０７の送信インタフェース２０８に機器制御ライン経由でリモコンコードを転送する。
ＳＴＥＰ９０６では、ＡＶスイッチ２０７のコントロール部２０９は、送信インタフェース２０８よりリモコンコードを受け取り、図２７に示すように、リモコンコードにヘッダを付加して全ＳＴＢに対しブロードキャストする。
【０１７１】
ＳＴＥＰ９０７では、各ＳＴＢでは、ＡＶスイッチ２０７側から受け取った信号のヘッダに含まれる機器アドレスに基づき、ＡＶスイッチ２０７からの出力信号が自分宛であるか否かを判断する。自分宛であると判断した場合は、ＳＴＥＰ９０８に進み、リモコンコードに含まれるコマンドに従って動作を実行する。一方、自分宛でないと判断した場合は、ＳＴＥＰ８０９に進み、動作を実行しない。
【０１７２】
上記処理により、各接続機器に付属するリモコンのボタンをディスプレイ２００に向けて押下するだけで、そのリモコンに対応した機器にユーザが所望の動作を実行させることができる。
【０１７３】
なお、ユーザが所望の接続機器のデータを表示部２０２に表示したい場合、ユーザが所望の接続機器に対応するリモコンを用いて、上記実施の形態２，４，６，８のいずかで説明した切換方法により表示画面を切り換えることができる。
【０１７４】
このような実施の形態１０では、リモコンのボタンをユーザが押下したとき、リモコンから発せられたリモコンコードをディスプレイ２００側で受信してＡＶスイッチ２０７に転送し、ＡＶスイッチ２０７がリモコンコードにヘッダを付加して全ＳＴＢに対しブロードキャストし、各ＳＴＢ側で上記ディスプレイ２００の出力信号のうちのヘッダに含まれる機器アドレスに基づいて上記リモコンコードが自分宛であるか否かを判断し、自分宛であると判断したＳＴＢは、上記リモコンコードに含まれるコマンドに従って動作を実行するようにしたので、映像機器のリモコン操作をディスプレイに向けて行うことができる。
【０１７５】
なお、上記実施の形態９、１０では、ディスプレイ１００のコントロール部１０４，またはＡＶスイッチ２０７のコントロール部２０９にてリモコンコードにヘッダを付加してブロードキャストする場合について説明したが、リモコンコードにヘッダを付加するとともに、機器制御コマンドを付加し、該機器制御コマンドに従って該当接続機器を動作させるようにしても良い。また、上記機器制御コマンドは、リモコンコードの前あるいは後ろに付加しても良いし、例えば、図２９に示すように、リモコンコードのコマンド部分を機器制御コマンドに挿げ替える等、リモコンコードの中に挿入しても良い。
【０１７６】
（実施の形態１１）
以下に、本発明の実施の形態１１によるＡＶシステムについて説明する、
本実施の形態１１によるＡＶシステムを図１に示す。なお、図１については上記実施の形態１にて説明したので、ここではその説明を省略する。
【０１７７】
次に、本実施の形態１１によるＡＶシステムの動作について説明する。なお、本実施の形態１１では、ディスプレイに接続される各接続機器の認識方法については、上記実施の形態１，３，５のいずれかで説明した方法により行う。
【０１７８】
なお、実施の形態１１では、リモコン操作による機器制御は行うが、映像、音声をあえて切り替えないようにするものである。これらの操作の例として、ＶＴＲ、ＤＶＤレコーダ等の録画，早送り，巻き戻しなどがある。このような操作を行うリモコンコマンドを切替無効コマンドという。
【０１７９】
まず、切換無効コマンド一覧テーブルの作成方法について図３０を用いて説明する。この処理は、接続機器の認識を行う前、あるいは後にする。
ディスプレイ１００側から各接続機器に対し切換無効コマンドの問い合わせを行い、各接続機器は、予めメーカーにより設定されている切換無効コマンドをディスプレイ１００に通知する。そして、ディスプレイ１００側では、上記通知内容に基づいて表示画面の切り換えを無効とするコマンドの一覧テーブルを図３１に示すように作成する。この切換無効コマンド一覧テーブルは、ディスプレイ１００のメモリ部１０６に格納される。
【０１８０】
なお、ここではディスプレイ側からの問い合わせにより各接続機器から切換無効コマンドを取得する場合について説明したが、図３２に示すように、接続機器側から通知するようにしても良い。
【０１８１】
次に、実施の形態１１による接続機器の切換方法について図３３を用いて説明する。
ＳＴＥＰ１００１では、リモコン１０１のボタンをユーザが押下する。
【０１８２】
ＳＴＥＰ１００２では、リモコン１０１から発せられたリモコンコードをディスプレイ１００のリモコン受信部１０３が受信する。
ＳＴＥＰ１００３では、リモコン受信部１０３からコントロール部１０４にリモコンコードを転送する。
ＳＴＥＰ１００４では、コントロール部１０４は、リモコンコードからメーカーコード、機器コード、及びコマンドを抽出する。
【０１８３】
ＳＴＥＰ１００５では、ＳＴＥＰ１００４で抽出したコマンドが切換無効コマンド一覧テーブルに含まれているかをサーチする。サーチの結果、切換無効コマンドが検出された場合は、ＳＴＥＰ１００６に進み、切換をしない。また、サーチの結果、切換無効コマンドが検出されなかった場合は、ＳＴＥＰ１００７に進み、切換を実行する。
【０１８４】
このような実施の形態１１では、接続機器の認識を行う前、あるいは後に、メーカーにより予め設定されている切換無効コマンドを各ＳＴＢから取得して切換無効コマンド一覧テーブルを作成し、リモコンから発せられるリモコンコードに切換無効コマンド一覧テーブル上の切換無効コマンドが含まれているときはセレクタ１０５を切り換えないようにしたので、録画、早送り、巻き戻しなど表示画面を切り換える必要がないリモコン操作を行う場合に無駄な動作を防ぐことができる。
【０１８５】
（実施の形態１２）
以下に、本発明の実施の形態１２によるＡＶシステムについて説明する。
本実施の形態１２によるＡＶシステムを図９に示す。なお、図９については上記実施の形態２で説明したので、ここではその説明を省略する。
【０１８６】
次に、本実施の形態１２によるＡＶシステムの動作について説明する。なお、本実施の形態１２では、接続機器の認識については、上記実施の形態２，４，６のいずれかで説明した方法により行う。
【０１８７】
まず、切換無効コマンド一覧テーブルの作成方法について図３４を用いて説明する。
ＡＶスイッチ２０７側から各接続機器に対し切換無効コマンドの問い合わせを行い、各接続機器は、予めメーカーにより設定されている切換無効コマンドをＡＶスイッチ２０７に通知する。そして、ＡＶスイッチ２０７側では、上記通知内容に基づいて表示画面の切り換えを無効とするコマンドの一覧テーブルを図３１に示すように作成し、ＡＶスイッチ２０７のメモリ部２１１に格納する。
なお、ここではＡＶスイッチ側からの問い合わせにより各接続機器から切換無効コマンドを取得する場合について説明したが、接続機器側から通知するようにしても良い。
【０１８８】
次に、実施の形態１２による接続機器の切換方法について図３５を用いて説明する。
ＳＴＥＰ１１０１では、リモコン２０１のボタンをユーザが押下する。
ＳＴＥＰ１１０２では、リモコン２０１から発せられたリモコンコードをディスプレイ２００のリモコン受信部２０３が受信する。
【０１８９】
ＳＴＥＰ１１０３では、リモコン受信部２０３からコントロール部２０４にリモコンコードを転送する。
ＳＴＥＰ１１０４では、コントロール部２０４は、受信インタフェース２０５の機器制御ラインにリモコンコードを重畳する。
【０１９０】
ＳＴＥＰ１１０５では、受信インタフェース２０５は、ＡＶスイッチ２０７の送信インタフェース２０８に機器制御ライン経由でリモコンコードを転送する。
【０１９１】
ＳＴＥＰ１１０６では、ＡＶスイッチ２０７のコントロール部は、送信インタフェース２０８よりリモコンコードを受け取り、該リモコンコードからメーカーコード、機器コード、及びコマンドを抽出する。
【０１９２】
ＳＴＥＰ１１０７では、ＳＴＥＰ１１０６で抽出したコマンドが切換無効コマンド一覧テーブルに含まれているかをサーチする。サーチの結果、切換無効コマンドが検出された場合は、ＳＴＥＰ１１０８に進み、切換をしない。また、サーチの結果、切換無効コマンドが検出されなかった場合は、ＳＴＥＰ１１０９に進み、切換を実行する。
【０１９３】
このような実施の形態１２では、接続機器の認識を行う前、あるいは後に、メーカーにより予め設定されている切換無効コマンドを各ＳＴＢから取得して切換無効コマンド一覧テーブルを作成し、リモコンから発せられるリモコンコードに切換無効コマンド一覧テーブル上の切換無効コマンドが含まれているときはセレクタ２１０を切り換えないようにしたので、録画、早送り、巻き戻しなど表示画面を切り換える必要がないリモコン操作を行う場合に無駄な動作を防ぐことができる。
【０１９４】
なお、上記実施の形態１１、１２では、切換無効コマンドを用いて表示画面の切り換えを防止する場合について説明したが、図３６に示すような切換有効コマンド一覧テーブルを作成し、切換有効コマンドを用いて表示画面を切り換えるようにしても良い。これにより、再生、早送り再生、巻き戻し再生などを実行する場合に自動的に表示画面を切り換えることができる。
【産業上の利用可能性】
【０１９５】
本発明にかかるＡＶシステムは、ＳＴＢ、ＤＶＤ、ＶＴＲなどの映像機器をディスプレイに接続したときに、該ディスプレイに向けてリモコン操作をすることが可能なＡＶシステムとして有用である。
【図面の簡単な説明】
【０１９６】
【図１】本発明の実施の形態１にかかるＡＶシステムの構成を示す図である。
【図２】本発明のＡＶシステムの第１のＳＴＢの構成を示す図である。
【図３】ＨＤＭＩの構成の概略を示す図である。
【図４】リモコンコードのフォーマットを示す図である。
【図５】本発明の実施の形態１による接続機器の認識方法を説明するための図である。
【図６】本発明のＡＶシステムにおいて、接続機器一覧テーブルに格納されるメーカーコード及び機器コードのフォーマットを示す図である。
【図７】本発明のＡＶシステムを構成するディスプレイ、またはＡＶスイッチ側で作成される接続機器一覧テーブルの一例を示す図である。
【図８】本発明の実施の形態１による接続機器の切換方法を説明するための図である。
【図９】本発明の実施の形態２にかかるＡＶシステムの構成を示す図である。
【図１０】本発明の実施の形態２による、接続機器の認識方法を説明するための図である。
【図１１】本発明の実施の形態２による接続機器の切換方法を説明するための図である。
【図１２】本発明の実施の形態３による接続機器の認識方法を説明するための図である。
【図１３】本発明の実施の形態３，４において、メーカーコード、及び機器コードを映像のブランキング期間に多重する方法を説明するための図である。
【図１４】本発明の実施の形態３による接続機器の切換方法を説明するための図である。
【図１５】本発明の実施の形態４による接続機器の認識方法を説明するための図である。
【図１６】本発明の実施の形態４による接続機器の切換方法を説明するための図である。
【図１７】本発明の実施の形態５による接続機器の認識方法を説明するための図である。
【図１８】本発明のＡＶシステムを構成するディスプレイ、またはＡＶスイッチ側で作成される接続機器一覧テーブルの一例を示す図である。
【図１９】本発明のＡＶシステムを構成するディスプレイ、またはＡＶスイッチのメモリ部に予め格納される、ベンダーＩＤ一覧テーブルを示す図である。
【図２０】本発明のＡＶシステムを構成するディスプレイ、またはＡＶスイッチのメモリ部に予め格納される、機器アドレス一覧テーブルを示す図である。
【図２１】本発明の実施の形態５による接続機器の切換方法を説明するための図である。
【図２２】本発明の実施の形態６による接続機器の切換方法を説明するための図である。
【図２３】本発明の実施の形態７による接続機器の切換方法を説明するための図である。
【図２４】本発明の実施の形態７，８にかかるＡＶシステムにおいて、全映像機器に対してブロードキャストされる信号のフォーマットを示す図である。
【図２５】本発明の実施の形態８による接続機器の切換方法を説明するための図である。
【図２６】本発明の実施の形態９による接続機器の動作制御方法を説明するための図である。
【図２７】本発明のＡＶシステムにおいて、接続機器の動作制御を行うときに該接続機器に出力される信号のフォーマットの一例を示す図である。
【図２８】本発明の実施の形態１０による接続機器の動作制御方法を説明するための図である。
【図２９】本発明のＡＶシステムにおいて、接続機器の動作制御を行うときに該接続機器に出力される信号のフォーマットの一例を示す図である。
【図３０】本発明の実施の形態１１による切換無効コマンドの取得方法の一例を示す図である。
【図３１】切換無効コマンド一覧テーブルを示す図である。
【図３２】本発明の実施の形態１１による切換無効コマンドの取得方法の一例を示す図である。
【図３３】本発明の実施の形態１１による接続機器の切換方法を説明するための図である。
【図３４】本発明の実施の形態１２による切換無効コマンドの取得方法の一例を示す図である。
【図３５】本発明の実施の形態１２による接続機器の切換方法を説明するための図である。
【図３６】切換有効コマンド一覧テーブルを示す図である。
【図３７】従来のＡＶシステムの構成を示す図である。
【符号の説明】
【０１９７】
１００  ディスプレイ
１０１  リモコン
１０２  表示部
１０３  リモコン受信部
１０４  コントロール部
１０５  セレクタ部
１０６  メモリ部
１０７  第１の受信インタフェース部
１０８  第２の受信インタフェース部
１０９  第３の受信インタフェース部
１１０  第１のＳＴＢ
１１１  第２のＳＴＢ
１１２  第３のＳＴＢ
１１３〜１１５  ＨＤＭＩケーブル
１００１  送信インタフェース
１００２  コントロール部
１００３  メモリ部
１００４  アンテナ
１００５  チューナ部
１００６  フロントエンド部
１００７  ＴＳデコーダ部
１００８  ＡＶデコーダ部
１３０１  ＨＤＭＩの送信部
１３０２  ＨＤＭＩのＴＭＤＳエンコーダ
１３０３  ＨＤＭＩの送信部のコントロール部
１３０４  ＨＤＭＩの受信部
１３０５  ＨＤＭＩの受信部のＴＭＤＳデコーダ
１３０６  ＨＤＭＩの受信部のコントロール部
１３０７  ＨＤＭＩの機器制御ライン
１３０８  ＨＤＭＩのＤＤＣライン
２００  ディスプレイ
２０１  リモコン
２０２  表示部
２０３  リモコン受信部
２０４  コントロール部
２０５  受信インタフェース
２０６  ＨＤＭＩケーブル
２０７  ＡＶスイッチ
２０８  送信インタフェース
２０９  コントロール部
２１０  セレクタ部
２１１  メモリ部
【図１】
2004208290.tif 000003
【図２】
2004208290.tif 000004
【図３】
2004208290.tif 000005
【図４】
2004208290.tif 000006
【図５】
2004208290.tif 000007
【図６】
2004208290.tif 000008
【図７】
2004208290.tif 000009
【図８】
2004208290.tif 000010
【図９】
2004208290.tif 000011
【図１０】
2004208290.tif 000012
【図１１】
2004208290.tif 000013
【図１２】
2004208290.tif 000014
【図１３】
2004208290.tif 000015
【図１４】
2004208290.tif 000016
【図１５】
2004208290.tif 000017
【図１６】
2004208290.tif 000018
【図１７】
2004208290.tif 000019
【図１８】
2004208290.tif 000020
【図１９】
2004208290.tif 000021
【図２０】
2004208290.tif 000022
【図２１】
2004208290.tif 000023
【図２２】
2004208290.tif 000024
【図２３】
2004208290.tif 000025
【図２４】
2004208290.tif 000026
【図２５】
2004208290.tif 000027
【図２６】
2004208290.tif 000028
【図２７】
2004208290.tif 000029
【図２８】
2004208290.tif 000030
【図２９】
2004208290.tif 000031
【図３０】
2004208290.tif 000032
【図３１】
2004208290.tif 000033
【図３２】
2004208290.tif 000034
【図３３】
2004208290.tif 000035
【図３４】
2004208290.tif 000036
【図３５】
2004208290.tif 000037
【図３６】
2004208290.tif 000038
【図３７】
2004208290.tif 000039